(57)【要約】【課題】芯据え作業を容易にし、生産性を向上し、未習熟者にもしわの出難い逢着ができる肩増芯を開発する。【解決手段】  肩増芯を１、ラペル返り線２に対して前身頃６側に位置する前肩部１Ａと、上衣の肩線３を越えて後身頃に位置する持出し部１Ｂとで構成し、ネックポイントから脇部にかけて伸び止めテープ５を逢着し、ラペル返り線２に沿う部分で接着テープ４により前身頃６側に接着することによって、芯据え作業が容易で、生産性を向上するとともに、未習熟者にもしわの出難い逢着ができるようにした肩増芯である。【選択図】図１  
2005213697.tif 000002
【特許請求の範囲】
【請求項１】
上衣前身頃に芯据えされる肩増芯が、ラペル返り線に対して前身頃側に位置する前肩部と、肩線を越えて後身頃側に位置する持出し部とからなることを特徴とする肩増芯。
【請求項２】
前記持出し部の巾は、約８〜１０ｃｍであることを特徴とする請求項１記載の肩増芯。
【請求項３】
前記前肩部のラペル返り線に沿う部分に、前記肩増芯と前身頃を接着する接着テープを固着したことを特徴とする請求項１または請求項２記載の肩増芯。
【請求項４】
前記肩増芯の胸部分の下縁に沿って伸び止めテープを斜め４０°乃至は４５°に逢着したことを特徴とする請求項１乃至請求項３記載の肩増芯。
【発明の詳細な説明】
【技術分野】
【０００１】
この発明は、上衣の前肩部の運動をスムーズにするとか整えるために前身頃と後身頃とにかけて、表地と裏地の間に据えられる肩増芯に関する。
【背景技術】
【０００２】
従来から、背広の上衣やブレザーとかジャケットにおいて、成形美、審美性、機能性等を良くするために胸増芯とか肩増芯を入れることが行なわれている。
【０００３】
【特許文献１】特開２００２−１１５１１０号公報（例えば、第１頁参照）
【特許文献２】特開２００１−１８１９１３号公報（例えば、第１頁参照）
【特許文献３】特開平１１−２８６８０６号公報（例えば、第１頁参照参）
【特許文献４】特開平８−１７６９１２号公報（例えば、第１頁参照）
【特許文献５】実開平６−２２３２０号公報（例えば、第１頁参照）
【特許文献６】登録実用新案第３００２７５４号公報（例えば、第１頁参照）
【０００４】
上記各特許文献に使用されている肩増芯は、肩線を越えて後身頃にかかる持出し部の巾が２〜３ｃｍと狭く、そのため増芯とは別に肩パッドを逢着する必要があり、前身頃に肩増芯と肩パッドを据える作業が２工程に分離するので、生産性が上がらずコスト高になる。
【０００５】
また、従来の肩増芯は、前身頃に芯据えする際に、しつけミシン（ジャンプミシンの一種）を使って、肩増芯を正確な位置に逢着する技術を習得する必要があって、その技術の習得には長い時間と熟練を要する。
【０００６】
さらに、従来の肩増芯は、表の前身頃に肩増芯を逢着するときに、未習熟者にあっては前身頃のネックポイントから脇腹にかけて伸びを生じ易い。
【発明の開示】
【発明が解決しようとする課題】
【０００７】
以上のことから、本発明が解決しようとする課題は、上記のような様々な問題点を解決して、芯据え作業を容易にし、生産性を向上し、未習熟者にもしわの出難い逢着ができる肩増芯を開発することにある。
【課題を解決するための手段】
【０００８】
そこで本発明は、上衣の前身頃に芯据えされる肩増芯が、ラペル返り線に対して前身頃側に位置する前肩部と、肩線を越えて後身頃に位置する持出し部とからなることを特徴とする肩増芯を提供するものである。
【０００９】
肩増芯の持出し部の巾が約８〜１０ｃｍであることを特徴とする請求項２の発明によれば、持出し部が広すぎて泳ぐ（波打つ）ようなこととか、狭すぎて突っ張るようなことがない。
【００１０】
ラペル返り線に沿う肩増芯の前肩部に、肩増芯と前身頃を接着する接着テープを固着したことを特徴とする請求項３の発明によれば、未習熟者にも容易に肩増芯の正確な芯据えができる。
【００１１】
肩増芯の胸部分に伸び止めテープを斜め４０°乃至は４５°に逢着したことを特徴とする請求項４の発明によれば、未習熟者にも前身頃のネックポイントから脇腹にかけての伸びが生じ難い肩増芯の逢着ができる。
【発明の効果】
【００１２】
本発明に係る肩増芯は、まず、前身頃に対する芯据えと逢着が簡単にできる。作業が簡単で迅速にできるからコスト高をまねかないで生産性に優れ、かつ、比較的に美麗で機能性と審美的に富む上衣を形成できる。
【発明を実施するための最良の形態】
【００１３】
肩増芯を、ラペル返り線に対して前身頃側に位置する前肩部と、肩線を越えて後身頃に位置する持出し部とで構成し、脇部に伸び止めテープを逢着し、ラペル線に沿う部分に接着テープを接着する。
【実施例】
【００１４】
以下に、本発明の実施例を図面について説明する。  
図１は、裏返した右前身頃に実施例１を据え付けた状態の平面図、図２は、実施例２をパーツ別に分解して示す斜視図である。
【００１５】
実施例１を示す図１において、１は肩増芯で、この肩増芯１は、上衣の前身頃に芯据えされた場合にラペル返り線２に対して前身頃側に位置する前肩部１Ａと、肩線３を越えて後ろ身頃側に位置する持出し部１Ｂとを有する。
【００１６】
図１に示すように、持出し部１Ｂが前身頃６の肩線３を越えて後ろ身頃側に位置する巾Ｌは、服の肩幅や芯の素材を考慮して７ｃｍから１１ｃｍ、好ましくは８ｃｍから１０ｃｍの範囲で選定する。
【００１７】
前肩部１Ａは、ラペル返り線５に沿って接着テープ４で固着されている。この接着テープ４の巾は１ｃｍから２ｃｍで、片面に接着材が塗布されていて、接着材を塗布していない表側からアイロンをかけることによって、肩増芯１を前身頃６に接着し、据付け位置に固定する。
【００１８】
また、前肩部１Ａの下縁には、前身頃６のネックポイントから脇にかけて伸び止めテープ５が逢着されている。この伸び止めテープ５の巾は３ｃｍから４ｃｍで、前身頃６のネックポイントから脇にかけ、肩線３に対して斜めに４０°から４５°の角度の直線で結ぶことによって、前肩部１Ａの下縁の伸びを抑止している。
【００１９】
前記接着テープ４のアイロンがけは、図１に示すように、前身頃６の肩線３に肩増芯１の肩線７を合わせて、肩増芯１の据え付け位置を決定した後に行ない、肩増芯１の前肩部１Ａを前身頃６の裏面に固定する。
なお、本発明に係る肩増芯１は、図２に示す実施例２のように、別パーツで形成した前肩部１Ａと持出し部１Ｂとの間に、肩バス芯８を介在させて縫着する場合もある。この実施例２については、実施例１と共通する部材に同じ符号を付して細部の説明を省略する。
【００２０】
以上のように、本発明に係る肩増芯１は、前身頃６に対する位置決めが容易で、正確性が高い。熟練もそれほど必要としない。迅速に据付け作業ができる。
有前身頃６に対する肩増芯１の逢着には、吊り加減に縫ったりイセ込んだりする必要がなく、直線ミシンにより通常に縫製できる。
【産業上の利用可能性】
【００２１】
本発明に係る肩増芯は、実施例に示す態様に限らず、肩増芯に付随するパーツの種類とその形状は、本発明の目的に沿って、実施例の態様のみに限定されるものではない。
【図面の簡単な説明】
【００２２】
【図１】裏返した右前身頃に実施例１を据え付けた状態の平面図である。
【図２】実施例２をパーツ別に分解して示す斜視図である。
【符号の説明】
【００２３】
１  肩増芯  （１Ａ  前肩部、  １Ｂ  持出し部）
２  ラペル返り線
３  肩線（前身頃）
４  接着テープ
５  伸び止めテープ
６  前身頃
７  肩線（肩増芯）
８  肩バス芯
Ｌ  巾（持ち出し）
【図１】
2005213697.tif 000003
【図２】
2005213697.tif 000004